【事件の表示】
　特願２００６−５３６８２７「マルチ−キャリア通信システムにおける複数データストリームの周波数分割多重方式」拒絶査定不服審判事件〔平成１７年　５月　６日国際公開、ＷＯ２００５／０４１５１５、平成１９年　４月１２日国内公表、特表２００７−５０９５８６〕について、次のとおり審決する。
【結　論】
　本件審判の請求は、成り立たない。
【理　由】
１．手続の経緯と本願発明
　本願は、２００４年１０月２１日（パリ条約による優先権主張　外国庁受理２００３年１０月２４日　米国）を国際出願日とする出願であって、平成２１年７月１７日に拒絶査定がなされ、これに対し、同年１１月３０日に審判請求がなされたものであり、その特許請求の範囲の請求項１に係る発明（以下、「本願発明」という。）は、平成２１年１１月３０日付け手続補正書により補正された明細書及び図面の記載からみて、その特許請求の範囲の請求項１に記載された以下のとおりのものと認める。
　
　「【請求項１】
　無線マルチ−キャリア通信システムにおけるデータ伝送方法であって、
　スロットを複数のデータシンボルストリームの各々に割り当てることと、なおここでは、各スロットは伝送のユニットであり、複数のスロットは各シンボル期間において周波数分割多重化されている；
　各データシンボルストリーム中のデータシンボルを前記データシンボルストリームに割り当てられた前記スロット上で多重化することと；
　前記複数のデータシンボルストリームに対し多重化されたデータシンボルで合成シンボルストリームを形成することと、なおここでは、前記複数のデータシンボルストリームは受信機によって独立して回復可能である；
　を備え、
　伝送用に使用可能なＵ周波数サブバンドで複数のオーバーラップしないインタレースを形成することと、なおここでは、Ｕ＞１であり各インタレースは前記Ｕ周波数サブバンドの中から選択された異なるセットの周波数サブバンドである；
　各シンボル期間における前記複数のスロットを前記複数のインタレースにマッピングすることと；
　を更に備える、
　方法。」
　
２．引用発明
　これに対して、原審の拒絶の理由に引用された国際公開第０２／４９３０６号（以下、「引用例」という。）には、「MULTI-CARRIER COMMUNICATIONS WITH GROUP-BASED SUBCARRIER ALLOCATION」（邦訳：グループベースのサブキャリア割当による多重チャリア通信）として図面とともに以下の事項が記載されている。
　
　イ．「1. A method for subcarrier selection for a system employing orthogonal frequency division multiple access (OFDMA) comprising: 
partitioning subcarriers into a plurality of groups of at least one cluster of subcarriers; and 
receiving an indication of a selection by the subscriber of one or more groups in the plurality of groups; and 
allocating at least one cluster in the one or more groups of clusters selected by the subcarrier for use in communication with the subscriber.」
（２７頁３行−１０行）
　
（邦訳）
　「１．直交周波数分割多重アクセス（ＯＦＤＭＡ）を採用しているシステムのためのサブキャリア選択の方法において：
　複数のサブキャリアを、少なくとも１つのサブキャリアのクラスタから成る複数のグループに分割し、
　加入者による、前記複数のグループの中の１つ又は複数のグループの選択の表示を受信し、
　前記加入者が選択した１つ又は複数のクラスタのグループの中の少なくとも１つのクラスタを、前記加入者との通信に使用するために割り当てる。」
　
　ロ．「7. The method defined in Claim 1 wherein the one or more groups is only a subset of all of the groups of clusters allocatable by a base station.」
（２８頁１行−２行）
　
（邦訳）
　「７．前記１つ又は複数のグループは、基地局が割り当てることのできるクラスタのグループ全てのサブセットにすぎないことを特徴とする請求項１に記載の方法。」
　
ハ．「FIELD OF THE INVENTION 
[0002] The invention relates to the field of wireless communications; more particularly, the invention relates to multi-cell, multi-subscriber wireless systems using orthogonal frequency division multiplexing (OFDM).」
（１頁６行−９行）
　
（邦訳）
　「発明の分野
［０００２］本発明は、無線通信の分野に関し、より厳密には、本発明は、直交周波数分割多重化（ＯＦＤＭ）を使っている多重セル多重加入者無線システムに関する。」
　
　ニ．「SUMMARY OF THE INVENTION 
[0008] A method and apparatus for subcarrier selection for systems is described. In one embodiment, a method for subcarrier selection for a system employing orthogonal frequency division multiple access (OFDMA) comprises partitioning subcarriers into groups of at least one cluster of subcarriers, receiving an indication of a selection by the subscriber of one or more groups in the groups, and allocating at least one cluster in the one or more groups of clusters selected by the subcarrier for use in communication with the subscriber. 」
（３頁１行−８行）
　
（邦訳）
　「発明の要約
［０００８］システムのためにサブキャリアを選択する方法及び装置について説明する。或る実施形態では、直交周波数分割多重アクセス（ＯＦＤＭＡ）を採用しているシステムのためのサブキャリア選択の方法は、複数のサブキャリアを、少なくとも１つのサブキャリアのクラスタから成る複数のグループに分割する段階と、加入者による、前記複数のグループの中の１つ又は複数のグループの選択の表示を受信する段階と、加入者が選択した１つ又は複数のクラスタのグループの中の少なくとも１つのクラスタを、加入者との通信に使用するために割り当てる段階と、で構成されている。」
　
　ホ．「[0028] In one embodiment, the selection by the base station of the channels to allocate, based on the feedback, results in the selection of coding/modulation rates. Such coding/modulation rates may be specified by the subscriber when specifying subcarriers that it finds favorable to use. For example, if the SINR is less than a certain threshold (e.g., 12 dB), quadrature phase shift keying (QPSK) modulation is used; otherwise, 16 quadrature amplitude modulation (QAM) is used. Then the base station informs the subscribers about the subcarrier allocation and the coding/modulation rates to use. 」
（７頁４行−１０行）
　
（邦訳）
「［００２８］或る実施形態では、フィードバックに基づいて基地局が割当チャネルを選択する結果として、符号化／変調速度の選択が行なわれる。このような符号化／変調速度は、使用に好ましいと分かったサブキャリアを特定する際、加入者が特定してもよい。例えば、ＳＩＮＲがある閾値（例えば１２ｄＢ）より低い場合、直角位相変換打鍵（ＱＰＳＫ）変調が使用されるが、そうでない場合は１６直交振幅変調（ＱＡＭ）が使用される。次いで、基地局は、加入者にサブキャリア割当及び／又は使用される符号化／変調速度を通知する。」
　
　ヘ．「Subcarrier Clustering 
[0038] The techniques described herein are directed to subcarrier allocation for data traffic channels. In a cellular system, there are typically other channels, pre-allocated for the exchange of control information and other purposes. These channels often include down link and up link control channels, uplink access channels, and time and frequency synchronization channels. 
[0039] Figure 1A illustrates multiple subcarriers, such as subcarrier 101, and cluster 102. A cluster, such as cluster 102, is defined as a logical unit that contains at least one physical subcarrier, as shown in Figure 1A. A cluster can contain consecutive or disjoint subcarriers. The mapping between a cluster and its subcarriers can be fixed or reconfigurable. In the latter case, the base station informs the subscribers when the clusters are redefined. In one embodiment, the frequency spectrum includes 512 subcarriers and each cluster includes four consecutive subcarriers, thereby resulting in 128 clusters.」
（９頁９行−２２行）
　
（邦訳）
「サブキャリア・クラスタリング
［００３８］ここに説明する技術は、データトラフィックチャネル用のサブキャリア割当に着眼している。セルラーシステムには、通常、制御情報の交換及び他の目的のために事前に割り当てられた別のチャネルがある。これらのチャネルは、ダウンリンク及びアップリンク制御チャネル、アップリンクアクセスチャネル、及び時間・周波数同期チャネルを含んでいることが多い。
［００３９］図１Ａは、サブキャリア１０１のような複数のサブキャリアとクラスタ１０２を示している。クラスタ１０２のようなクラスタは、図１Ａに示すように、少なくとも１つの物理的サブキャリアを保有している論理ユニットとして定義される。クラスタは、連続した又はばらばらのサブキャリアを保有することができる。クラスタとそのサブキャリアの間のマッピングは、固定されていても再構成可能であってもよい。後者の場合、基地局は、加入者に何時クラスタが再定義されるかを通知する。或る実施形態では、周波数スペクトルは５１２個のサブキャリアを含んでいて、各クラスタは４個の連続したサブキャリアを含んでおり、結果的に１２８個のクラスタとなる。」
　
　ト．「Adaptive Modulation and Coding 
[0050] In one embodiment, different modulation and coding rates are used to support reliable transmission over channels with different SINR. Signal spreading over multiple subcarriers may also be used to improve the reliability at very low SINR. 
[0051] An example coding/modulation table is given below in Table 1. 
　　　　　　Table 1
[0052] In the example above, 1/8 spreading indicates that one QPSK modulation symbol is repeated over eight subcarriers. The repetition/spreading may also be extended to the time domain. For example, one QPSK symbol can be repeated over four subcarriers of two OFDM symbols, resulting also 1/8 spreading. 
[0053] The coding/modulation rate can be adaptively changed according to the channel conditions observed at the receiver after the initial cluster allocation and rate selection.」
（１２頁１２行−１３頁２行）
　
（邦訳）
　「適応変調及び符号化
［００５０］或る実施形態では、異なる変調及び符号化速度を使用して、異なるＳＩＮＲを有するチャネルで信頼性の高い送信をサポートする。非常に低いＳＩＮＲで信頼性を改善するために、複数のサブキャリアによる信号拡散を使用してもよい。
［００５１］符号化／変調表の一例を下表１に示す。
【表１】
［００５２］上記例では、１／８拡散は、１つのＱＰＳＫ変調記号が８つのサブキャリアに亘って繰り返されることを示している。反復／拡散は、更に、タイムドメインにまで拡張される。例えば、１つのＱＰＳＫ記号を２つのＯＦＤＭ符号の４つのサブキャリアに亘って繰り返すことができ、結果的に１／８拡散となる。
［００５３］符号化／変調速度は、最初のクラスタ割当及び速度選択後に受信者側で観測されるチャネル状態に従って適応変更が行われる。」
　
　チ．「An Exemplary Base Station
[0078] The base station assigns desirable clusters to the subscriber making the request.
In one embodiment, the availability of the cluster for allocation to a subscriber depends on the total traffic load on the cluster. Therefore, the base station selects the clusters not only with high SINR, but also with low traffic load. 
[0079] Figure 13 is a block diagram of one embodiment of a base station. Referring to Figure 13, cluster allocation and load scheduling controller 1301 (cluster allocator) collects all the necessary information, including the downlink/uplink SINR of clusters specified for each subscriber (e.g., via SINR rate indices signals 1313 received from OFDM transceiver 1305) and user data, queue fullness/traffic load (e.g., via user data buffer information 1311 from multi-user data buffer 1302). Using this information, controller 1301 makes the decision on cluster allocation and load scheduling for each user, and stores the decision information in a memory (not shown). Controller 1301 informs the subscribers about the decisions through control signal channels (e.g., control signal/cluster allocation 1312 via OFDM transceiver 1305). Controller 1301 updates the decisions during retraining. 
[0080] In one embodiment, controller 1301 also performs admission control to user access since it knows the traffic load of the system. This may be performed by controlling user data buffers 1302 using admission control signals 1310. 
[0081] The packet data of User 1 ~ N are stored in the user data buffers 1302. For downlink, with the control of controller 1301, multiplexer 1303 loads the user data to cluster data buffers (for Cluster 1 ~ M) waiting to be transmitted. For the uplink, multiplexer 1303 sends the data in the cluster buffers to the corresponding user buffers. Cluster buffer 1304 stores the signal to be transmitted through OFDM transceiver 1305 (for downlink) and the signal received from transceiver 1305. In one embodiment, each user might occupy multiple clusters and each cluster might be shared by multiple users (in a time-division-multiplexing fashion).」
（１８頁２１行−１９頁１７行）
　
（邦訳）
「代表的基地局
［００７８］基地局は、リクエストを行っている加入者に望ましいクラスタを割り当てる。或る実施形態では、加入者に割り当てるクラスタの利用可能性は、クラスタ上の合計トラフィックロードに左右される。従って、基地局は、ＳＩＮＲが高いだけでなく、トラフィックロードが低いクラスタを選択する。
［００７９］図１３は、基地局の或る実施形態のブロック図である。図１３に示すように、クラスタ割当及びロードスケジューリング制御装置１３０１（クラスタアロケータ）は、各加入者に指定されたクラスタのダウンリンク／アップリンクＳＩＮＲ（例えば、ＯＦＤＭ受信機１３０５から受信するＳＩＮＲ／速度インデクス信号１３１３）と、ユーザーデータ、即ち待ち行列充満度／トラフィックロード（例えば、マルチユーザーデータバッファ１３０２からのユーザーデータバッファ情報１３１１を介して）とを含め、必要な全ての情報を収集する。この情報を使って、制御装置１３０１は、各ユーザー毎にクラスタ割当及びロードスケジューリングを決定し、決定情報をメモリ（図示せず）に記憶する。制御装置１３０１は、制御信号チャネル（例えばＯＦＤＭ受信機１３０５を介した制御信号／クラスタ割当１３１２）を通して、決定について加入者に通知する。
［００８０］或る実施形態では、制御装置１３０１は、更に、システムのトラフィックロードを知っているので、ユーザーアクセスに対する進入制御を行なう。これは、進入制御信号１３１０を使ってユーザーデータバッファ１３０２を制御することにより行なわれる。
［００８１］ユーザー１−Ｎのパケットデータは、ユーザーデータバッファ１３０２に記憶される。ダウンリンクについては、制御装置１３０１の制御により、マルチプレクサ１３０１は、ユーザーデータを送信待ちの（クラスタ１−Ｍの）クラスタデータバッファにロードする。アップリンクについては、マルチプレクサ１３０３は、クラスタバッファのデータを対応するユーザーバッファに送信する。クラスタバッファ１３０４は、（ダウンリンクの）ＯＦＤＭ送受信器１３０５を通して送信されることになる信号と、送受信器１３０５から受信した信号を記憶する。或る実施形態では、各ユーザーは複数のクラスタを占有し、各クラスタは複数のユーザーによって共有される（時分割多重化式の場合）。」
　
　リ．「Group-Based Cluster Allocation 
[0082] In another embodiment, for the downlink, the clusters are partitioned into groups. Each group can include multiple clusters. Figure 6 illustrates an exemplary partitioning. Referring to Figure 6, groups 1-4 are shown with arrows pointing to clusters that are in each group as a result of the partitioning. In one embodiment, the clusters within each group are spaced far apart over the entire bandwidth. In one embodiment, the clusters within each group are spaced apart farther than the channel coherence bandwidth, i.e. the bandwidth within which the channel response remains roughly the same. A typical value of coherence bandwidth is 100 kHz for many cellular systems. This improves frequency diversity within each group and increases the probability that at least some of the clusters within a group can provide high SINR. The clusters may be allocated in groups. 
[0083] Goals of group-based cluster allocation include reducing the data bits for cluster indexing, thereby reducing the bandwidth requirements of the feedback channel (information) and control channel (information) for cluster allocation. Group-based cluster allocation may also be used to reduce inter-cell interference. 」
（１９頁１８行−２０頁２行）
　
（邦訳）
　「グループベースのクラスタ割当
［００８２］別の実施形態では、ダウンリンクの場合、クラスタはグループに分割される。各グループは、複数のクラスタを含んでいてもよい。図６は、代表的な分割例を示している。図６に示すように、グループ１−４は、グループ分けの結果として各グループに入れられたクラスタを指す矢印で示されている。或る実施形態では、各グループ内のクラスタは、帯域幅全体に亘って遠く離されている。或る実施形態では、各グループ内のクラスタは、チャネルコヒーレンス帯域幅、即ちその中のチャネル応答が概ね同じである帯域幅、よりも更に離されている。コヒーレント帯域幅の代表的な値は、多くのセルラーシステムについて１００ｋＨｚである。これは、各グループ内の周波数ダイバーシティを改善し、グループ内のクラスタの少なくとも一部が高ＳＩＮＲを提供できる確率を上げることになる。クラスタは、グループに割り当てられる。
［００８３］グループベースのクラスタ割当の目的には、クラスタ指標付けのデータビットを減じ、これにより、クラスタ割当用のフィードバックチャネル（情報）と制御チャネル（情報）の帯域幅要件を緩和することである。グループベースのクラスタ割当は、セル間干渉を低減するためにも使用される。」
　
　上記イ．乃至上記リ．の記載及び図面ならびにこの分野における技術常識を考慮すると、引用例には、「直交周波数分割多重化を用いた無線システム」について以下の記載がある。
　
　上記チ．に記載のように、引用例の無線システムは、複数の「ユーザーデータ」を送信するものであり、上記ホ．及び上記ト．に記載のように、複数のユーザーデータは符号化及び変調されている。技術常識からユーザデータは符号化及び変調化され「変調記号列」となる。
　
　上記イ．、上記ロ．、上記ニ．、上記ヘ．及び上記リ．の記載並びにFigure６に示されるように、１つのサブキャリアからなる「クラスタ」が、「グループ数に応じて離間したクラスタの組」というべきものに「グループ」化（Figure６の具体例では、４クラスタ期間毎の複数のクラスタからグループが構成されている。）され、それぞれの「グループ」に各ユーザデータを符号化および変調して得られた変調信号列が割り当てられている。
　そして、このようなグループは送信の単位となるものである。
　また、複数のグループ（Figure６では４グループ）には、グループ数に応じて離間した複数のクラスタが含まれており、そして、これらのクラスタはそれぞれ１つのサブキャリアから構成されているから、グループは、各シンボル期間において組を構成する離間したクラスタ（サブキャリア）によって「周波数分割多重」されているといえる。
　
　上記チ．の記載及びFigure１３に示されるように、上記符号化及び変調されて変調信号列となった複数のユーザデータは、ＯＦＤＭ送信機により「ＯＦＤＭ信号」となり送信される。ここで、送信されるＯＦＤＭ信号は受信機において復調され、複数のユーザデータとして回復されるようになることは自明である。
　
　上記ロ．に記載のように、複数のグループは、基地局が割り当てることができるクラスタのグループ全てのサブセットであるから、「基地局が割り当てられる複数のサブキャリア」で複数のグループ、すなわち、「グループ数に応じて離間したクラスタの組」というべきものが複数形成されることになる。
  そして、上記リ．の記載及びFigure６に示されるように、各グループは互いに異なるクラスタの組を含んでおり、クラスタは１つのサブキャリアであるから、各グループは「異なる組のサブキャリア」となる。
　
　上記イ．、上記ロ．、上記ニ．、上記ヘ．及び上記リ．の記載並びにFigure６に示されるように、各シンボル期間に亘って複数のグループは、複数の「クラスタの組」に固定的に割り当てられている。
　
　したがって、上記引用例には以下の発明（以下、「引用発明」という。）が開示されている。
　
（引用発明）
　「直交周波数分割多重化を用いた無線システムにおけるユーザデータの送信方法であって、
　グループを複数のユーザデータのそれぞれを符号化および変調して得られた変調記号列に各々に割り当てる手段と、ここで、各グループは送信の単位であり、複数のグループは各シンボル期間において周波数分割多重化されており、
　前記複数のユーザデータを符号化および変調して得られた変調記号列中の変調信号でＯＦＤＭ信号を形成することと、ここで、前記複数のユーザデータを符号化および変調して得られた変調記号列は受信機によって独立して回復可能である、
　を備え、
　基地局が割り当てることができるサブキャリアで、グループ数に応じて離間したクラスタの組を複数形成することと、ここで、基地局が割り当てることができるサブキャリアは複数であり、前記クラスタの組は前記基地局が割り当てることができる複数のサブキャリアの中から選択された異なる組のサブキャリアであり、
　各シンボル期間における前記複数のグループを前記複数のクラスタの組に固定的に割り当てることと
　を備える方法。」
　
３．対比・判断
　本願発明と引用発明とを対比する。
　引用発明の「直交周波数分割多重化を用いた無線システム」に関し、「直交周波数分割多重化」はマルチキャリアを用いた多重化であり、また、無線による通信システムであることから本願発明の「無線マルチ−キャリア通信システム」に相当する。
　引用発明の「ユーザデータの送信方法」に関し、「ユーザデータ」は一般的な「データ」に含まれるものであり、「送信」は「伝送」に含まれるものであるから、引用発明の「ユーザデータの送信方法」は本願発明の「データ伝送方法」に相当する。
　引用発明の「グループ」は本願発明の「スロット」と「所定の割当対象」である点で一致する。
　引用発明の「ユーザデータのそれぞれを符号化および変調して得られた変調記号列」に関し、「変調記号」は「シンボル」であり、変調記号の「列」は「ストリーム」であるから本願発明の「データシンボルストリーム」に相当する。
　引用発明の「送信の単位」は、本願発明の「伝送のユニット」に相当する。
　引用発明の「ＯＦＤＭ信号」と、本願発明の「合成シンボルストリーム」は「所定の信号」である点で一致する。
　引用発明の「基地局が割り当てることができるサブキャリア」に関し、引用発明の「サブキャリア」が本願発明の「周波数サブバンド」に相当することは明らかであり、その数を「Ｕ」と表現することは任意であり、基地局が割り当てるサブキャリアは、送信に使用することができるサブキャリアであるといえるから、引用発明の「基地局が割り当てることができるサブキャリア」は本願発明の「伝送用に使用可能なＵ周波数サブバンド」に相当する。
　引用発明の「サブキャリア」は「複数」であるからその数をＵで表せば本願発明の「Ｕ＞１」に相当するものになる。
　引用発明の「クラスタの組」に関し、組を構成するそれぞれのクラスタはグループ数に応じて離間しているから、引用発明の「クラスタの組」は「オーバーラップしない」ものであり、また、引用発明の「クラスタの組」は「基地局が割り当てることができる複数のサブキャリアの中から選択された異なる組のサブキャリア」、すなわち本願発明の「Ｕ周波数サブバンドの中から選択された異なるセットの周波数サブバンド」に相当するものであるから、引用発明の「クラスタの組」は本願発明の「インタレース」に相当するものである。
　引用発明の「固定的に割り当てること」は、本願発明の「マッピングすること」と「割り当てること」で一致する。
　
　したがって、本願発明と引用発明は、以下の点で一致ないし相違している。
　
（一致点）
　「無線マルチ−キャリア通信システムにおけるデータ伝送方法であって、
　所定の割当対象を複数のデータシンボルストリームの各々に割り当てることと、なおここでは、各所定の割当対象は伝送のユニットであり、複数の所定の割当対象は各シンボル期間において周波数分割多重化されている；
　前記複数のデータシンボルストリーム中のデータシンボルで所定の信号を形成することと、なおここでは、前記複数のデータシンボルストリームは受信機によって独立して回復可能である；
　を備え、
　伝送用に使用可能なＵ周波数サブバンドで複数のオーバーラップしないインタレースを形成することと、なおここでは、Ｕ＞１であり各インタレースは前記Ｕ周波数サブバンドの中から選択された異なるセットの周波数サブバンドである；
　各シンボル期間における前記複数の所定の割当対象を前記複数のインタレースに割り当てることと；　
　を更に備える、方法。」
　
（相違点）
（１）複数のデータシンボルストリームの各々に割り当てる「所定の割当対象」に関し、本願発明では「スロット」であるのに対し、引用発明では「グループ」である点。
（２）本願発明では、「各データシンボルストリーム中のデータシンボルを前記データシンボルストリームに割り当てられた前記スロット上で多重化する」のに対し、引用発明では、そのような記載がない点。
（３）「所定の信号」に関し、本願発明では「合成シンボルストリーム」であるのに対し、引用発明では「ＯＦＤＭ信号」である点。
（４）「割り当てること」に関し、本願発明では各シンボル期間における複数のスロットを複数のインタレースに「マッピングすること」であるのに対し、引用発明では各シンボル期間における複数のグループを複数のインタレースに「固定的に割り当てること」である点。
　
　そこで、上記相違点について検討する。
　上記相違点（１）について検討する。
　引用発明では、複数のデータシンボルストリームを割り当てる「所定の割当対象」を「グループ」としている。
　ここで、「グループ」は引用例のFigure６に記載されたようなグループ数に応じて離間したクラスタの組を指すものであり、各クラスタは１つのサブキャリアから構成されている。したがって、「グループ」は、クラスタの組により構成される所定の伝送帯域を有するものとなる。そして伝送帯域は、技術常識から「スロット」であるから、グループは、所定の「スロット」を有することになる。
　以上のことから、引用発明において、複数のデータシンボルストリームを「グループ」に割り当てることは、結局、伝送帯域である「スロット」に割り当てることになる。
　よって、当業者であれば、「スロット」を複数のデータシンボルストリームの各々に割り当てることとを容易に想到するものである。
　したがって、相違点（１）は格別なものでない。
　
　上記相違点（２）について検討する。
　上記相違点（１）において判断したように、引用発明において、複数のデータシンボルストリームを割り当てる所定の割当対象を「スロット」とすることが当業者に容易想到であるから、スロット上に割り当てるようにすれば、各データシンボルストリーム中のデータシンボルは本願発明と同様にスロット上で多重化されることになる。
　したがって、相違点（２）も格別なものでない。
　
　上記相違点（３）について検討する。
　引用発明では、複数のデータシンボルストリーム中のデータシンボルから「ＯＦＤＭ信号」を形成するようにしているが、引用例には、どのようにデータシンボルストリーム中のシンボルから「ＯＦＤＭ信号」を形成しているのか記載がない。
　しかしながら、複数のデータシンボルストリーム中のデータシンボルからＯＦＤＭ信号を得るにあたり、１シンボル期間に送信すべき複数のデータシンボルストリームの複数のシンボルをまとめて逆フーリエ変換で２次変調することによりＯＦＤＭ信号を得るようにすることは特開平１０−６６０３９号公報（【図１】に関する記載参照）や特開２００１−３０８８１８号公報（【図１】（Ｂ）の記載参照）などに記載のように周知の技術である。
　ここで、上記相違点（２）において検討したとおり、データシンボルストリーム中のデータシンボルをスロット上で多重化することは当業者に容易に為し得ることである。
　以上のことから、当業者であれば、引用発明においてＯＦＤＭ信号を形成するために、複数のデータシンボルストリームに対し多重化されたデータシンボルで、１シンボル期間に送信すべきシンボルをまとめた合成シンボルストリームを形成することを容易に想到するものである。
　したがって、相違点（３）も格別なものでない。
　
　上記相違点（４）について検討する。
　本願発明の「マッピング」は、各シンボル期間における複数のスロットの複数のインタレースに対する「割り当て」であり、当該「マッピング」は、（ａ）各シンボル期間に亘り『固定的に割り当て』ること、及び、（ｂ）各シンボル期間に亘り『可変的に割り当て』ることの両者を含むものと解される。
　上記（ａ）の『固定的に割り当て』ることについて検討するに、引用発明が各シンボル期間における複数のグループを複数のインタレースに『固定的に割り当て』ることについて記載され、また、上記相違点（１）において判断したように、引用発明において、複数のデータシンボルストリームを割り当てる所定の割当対象を「スロット」とすることが当業者に容易想到であることから、各シンボル期間における複数のスロットを複数のインタレースに対して『固定的に割り当て』ること、すなわち『固定的に割り当て』ることを含む「マッピング」を当業者は容易に為すものである。
　したがって、相違点（４）は格別なものではないが、上記（ｂ）の『可変的に割り当て』ることについても検討するに、ＯＦＤＭのシンボル期間毎に各ユーザに割り当てるサブキャリアの組の伝送帯域を可変とすることは、特開２００２−１１１６３１号公報（【図５】の記載参照）、藤田千裕、高橋宏彰、迫田和幸、鈴木三博，ＢＤＭＡ方式の基本伝送特性，電子情報通信学会技術研究報告，日本，社団法人電子情報通信学会，１９９９年４月２２日，Vol.99，No.19，pp.7-12（８〜９頁「２．ＢＤＭＡ方式」の記載参照）、特開平１０−１９１４３１号公報（段落【００４２】−【００４４】，【図８】の記載参照）などに開示されているように周知の技術である。
　したがって、当業者であれば、前記周知の技術に基づき、各シンボル期間における複数のスロットをサブキャリアの組で構成される複数のインタレースに対して『可変的に割り当て』る「マッピング」も容易に想到し得るものである。
　
　したがって、上記各相違点はいずれも格別なものでなく、そして、本願発明の作用効果は、引用発明および各周知技術から当業者が予測し得る範囲のものである。
　
４．むすび
　以上のとおり、本願発明は、上記引用発明及び周知技術に基いて、当業者が容易に発明をすることができたものであるから、特許法第２９条第２項の規定により特許を受けることができない。
　
　よって、結論のとおり審決する。